(57)【要約】【課題】  種々の用途に使用可能で、工作物等の物品を簡単かつ確実に固定することのできるクランプを簡単かつ安価に製造できるようにする。【解決手段】  スライドレールと、固定アームと、スライドアームと、ハウジング構成と、力印加装置を有し、  前記固定アームがスライドレールに締め付けられ、工作物用の第１隣接面が前記固定アーム上に配置され、  前記スライドアームがスライドレール上を変位可能であり、前記ハウジング構成がスライドレール上を変位可能なように案内され、  前記力印加装置がスライドアームに保持されて、ハウジング構成上に保持された圧力部品に作用し、前記ハウジング構成が第１隣接面に対向開口部を有する第１ハウジング部を有し、クランプの製造中、ハウジング内部に導かれるようにスライドアームを適合させ、第２ハウジング部をハウジング構成に締め付け、開口部を閉鎖するようにしたクランプ。【選択図】図１
2011031308.tif 000002
【特許請求の範囲】
【請求項１】
スライドレール（１２；２４０）と、固定アーム（２２；２４４）と、スライドアーム（４８）と、ハウジング構成（３４）と、力印加装置（５０）を有し、
前記固定アームがスライドレールに（１２；２４０）に締め付けられ、工作物用の第１隣接面（２６；８０）が前記固定アーム上に配置され、
前記スライドアームがスライドレール（１２；２４０）上を変位可能であり、
第１軸受け装置（３６）と、第１軸受け装置（３６）から間隙を介した第２軸受け装置（３８）が前記ハウジング構成上に保持され、前記第１軸受け装置と第２軸受け装置によって、ハウジング構成（３４）がスライドレール（１２；２４０）上を変位可能なように案内され、スライドアーム（４８）が第１軸受け装置（３６）と第２軸受け装置（３８）の間に位置決めされ、工作物用の第２隣接面（１４８）がハウジング構成（３４）上に配置され、前記第２隣接面が第１隣接面（２６；２８０）と対向し、
前記力印加装置がスライドアーム（４８）上に保持され、圧力部品（６２）に作用し、前記圧力部品がハウジング構成（３４）上に保持されるクランプであって、
ハウジング構成（３４）が、開口部（１３２）を有するハウジング内部（４６）を備えた第１ハウジング部（４０）を有し、前記開口部が第１隣接面（２６；２８０）と対向し、前記開口部によってクランプの製造中、ハウジング内部（４６）にスライドアーム（４８）を導くように適合させ、第２ハウジング部（１３０）をハウジング構成（３６）に締め付け、開口部（１３２）を閉鎖することを特徴とするクランプ。
【請求項２】
第２ハウジング部（１３０）が、ハウジングカバーとして構成されることを特徴とする請求項１記載のクランプ。
【請求項３】
第２ハウジング部（１３０）が、ハウジング構成（３４）上に固定されることを特徴とする請求項１または２記載のクランプ。
【請求項４】
第２ハウジング部（１３０）が、第１ハウジング部（４０）に締め付けられることを特徴とする上記の請求項の１つに記載のクランプ。
【請求項５】
第２隣接面（１４８）が隣接面（１４６）上に形成され、隣接面（１４６）が第２ハウジング部（１３０）上に少なくとも部分的に保持されることを特徴とする上記の請求項の１つに記載のクランプ。
【請求項６】
少なくとも１つの第１ハウジング部（４０）と第２ハウジング部（１３０）が、プラスチック材料から作製されることを特徴とする上記の請求項の１つに記載のクランプ。
【請求項７】
第１ハウジング部（４０）がＬ字型の断面構造を有し、縦領域（４２）がスライドレール（１２；２４０）に沿って延び、横領域（４４）がスライドレール（１２；２４０）に対して横向きに延びることを特徴とする上記の請求項の１つに記載のクランプ。
【請求項８】
第１軸受け装置（３６）と第２軸受け装置（３８）が、縦領域（４２）上に配置されることを特徴とする請求項７記載のクランプ。
【請求項９】
圧力部品（６２）が、横領域（４４）上に配置されることを特徴とする請求項７または８記載のクランプ。
【請求項１０】
保持要素（６６）がハウジング内部（４６）に配置され、第１軸受け装置（３６）、第２軸受け装置（３８）および圧力部品（６２）を保持することを特徴とする上記の請求項の１つに記載のクランプ。
【請求項１１】
保持要素（６６）が、第１軸受け装置（３６）と第２軸受け装置（３８）のローラ（９０，９４；１０６，１０８）を保持することを特徴とする請求項１０記載のクランプ。
【請求項１２】
第１軸受け装置（３６）と第２軸受け装置（３８）の少なくとも一方の１つ以上のローラ（９０，９４）が、回転可能なように保持されることを特徴とする請求項１１記載のクランプ。
【請求項１３】
保持要素（６６）が第１凹部と対向する第２凹部を各々備えた凹部対（８２ａ，８２ｂ，１０４ａ，１０４ｂ）を有し、前記第１凹部と第２凹部にピン（８８，９２；１０６，１０８）を各々設置したことを特徴とする請求項１０〜１２の１つに記載のクランプ。
【請求項１４】
第２ハウジング部（１３０）が、凹部（１４２ａ，１４４ａ；１４２ｂ，１４４ｂ）を備えた対向する舌部（１３６ａ、１３６ｂ）を有し、第２軸受け装置（３８）のピン（１０６，１０８）を少なくとも部分的に前記凹部に挿入することを特徴とする請求項１３記載のクランプ。
【請求項１５】
保持要素（６６）が、金属材料から作製されることを特徴とする請求項１０〜１４の１つに記載のクランプ。
【請求項１６】
保持要素が、第１枝部（６８ａ）、平行に間隙を介した第２枝部（６８ｂ）、および第１枝部（６８ａ）と第２枝部（６８ｂ）の間の面上に少なくとも１つの接続ウェブ（７０）を有することを特徴とする請求項１０〜１５の１つに記載のクランプ。
【請求項１７】
第１枝部（６８ａ）と第２枝部（６８ｂ）が、各々Ｌ字型であることを特徴とする請求項１６記載のクランプ。
【請求項１８】
少なくとも１つの接続ウェブ（７０）が、第１ハウジング部（４０）の開口部（１３２）の領域内に位置決めされることを特徴とする請求項１６または１７記載のクランプ。
【請求項１９】
保持要素（６６）が開口面を有し、前記開口面が少なくとも１つの接続ウェブ（７０）を備えた面と対向することを特徴とする請求項１６〜１８の１つに記載のクランプ。
【請求項２０】
ローラ保持要素（１４２）がハウジング内部（４６）に配置され、第１軸受け装置（３６）のローラ（９０；９４）を保持することを特徴とする上記の請求項の１つに記載のクランプ。
【請求項２１】
ローラ保持要素（１２４）が、固定アーム（２２；２４４）から離れた第１ハウジング部（４０）の第１面（１１０）の領域内に配置されることを特徴とする請求項２０記載のクランプ。
【請求項２２】
ローラ保持要素（１２４）が、間隙を介した凹部（１２８ａ）の第１凹部対と、間隙を介した凹部（１２８ｂ）の第２凹部対を有し、各ローラ（９０；９４）が前記凹部に挿入されることを特徴とする請求項２０または２１記載のクランプ。
【請求項２３】
第１軸受け装置（３６）と第２軸受け装置（３８）用の保持要素（６６）が、ローラ保持要素（１２４）上の開口端部と共にスライドされることを特徴とする請求項２０〜２２の１つに記載のクランプ。
【請求項２４】
第１ハウジング部（４０）が凹部（９６ａ，９６ｂ；９８ａ，９８ｂ）を有し、第１軸受け装置（３６）のピン（８８；９２）が、少なくとも部分的に前記凹部に挿入されることを特徴とする上記の請求項の１つに記載のクランプ。
【請求項２５】
第１隣接面（２６；２８０）と第２隣接面（１４８）を互いに実質的に平行に整列させることを特徴とする上記の請求項の１つに記載のクランプ。
【請求項２６】
第１隣接面（２６；２８０）と第２隣接面（１４８）が、スライドレール（１２；２４０）の縦方向（１３）に実質的に垂直に方向付けされることを特徴とする上記の請求項の１つに記載のクランプ。
【請求項２７】
スライドレール（１２；２４０）が、第１隣接面（２６；２８０）と第２隣接面（１４８）を介して案内されることを特徴とする上記の請求項の１つに記載のクランプ。
【請求項２８】
凹部（１１２）を除く第２隣接面（１４８）に対向する面でハウジング内部（４６）を閉鎖し、前記凹部にスライドレール（１２；２４０）を通過させたことを特徴とする上記の請求項の１つに記載のクランプ。
【請求項２９】
ハウジング構成（３４）の下側（１１６）と上側（１１８）の少なくとも一方の上で、ハウジング内部（４６）を閉鎖したことを特徴とする上記の請求項の１つに記載のクランプ。
【請求項３０】
ハウジング内部（４６）が、横方向に閉鎖されることを特徴とする上記の請求項の１つに記載のクランプ。
【請求項３１】
固定アーム（２２）を配置し、スライドレール（１２）上で固定可能なように変位できることを特徴とする上記の請求項の１つに記載のクランプ。
【請求項３２】
圧力部品（６２）が、力印加装置（５０）の保持ヘッド用の保持ヘッド配置空間（６４）と、保持ヘッド配置空間（６４）内に保持ヘッドを締め付けるための少なくとも１つの固定要素を有し、
前記少なくとも１つの固定要素が固定要素配置空間内に配置され、保持ヘッドによって通過されなければならず、
保持ヘッドの挿入方向において保持ヘッド配置空間（６４）内に少なくとも１つの固定要素を貫通させるための力の支出が、保持ヘッドの除去方向において保持ヘッド配置空間（６４）から貫通させるための力の支出より小さくなるように、前記少なくとも１つの固定要素と固定要素配置空間が構成されることを特徴とする上記の請求項の１つに記載のクランプ。
【請求項３３】
固定アーム（２２）が少なくとも１つのブロック要素（１７２；１８６）を有し、固定位置で少なくとも１つの方向において、スライドレール（１２）に対する固定アーム（２２）の動きをブロックし、起動装置を設け、前記起動装置によって少なくとも１つのブロック要素（１７２；１８６）の傾斜を変更可能にし、固定アーム（２２）がスライドレール（１２）上のその位置を調整するために、スライドレール（１２）上で変位可能になることを特徴とする請求項１の導入部または上記の請求項の１つに記載のクランプ。
【請求項３４】
少なくとも１つのブロック要素（１７２；１８６）が凹部（１７４）を備えた板であり、前記凹部を介してスライドレール（１２）が案内されることを特徴とする請求項３３記載のクランプ。
【請求項３５】
第１ブロック要素（１７２）を提供し、第１固定位置で第１方向におけるスライドレール（１２）上の固定アーム（２２）の変位可能性をブロックし、第２ブロック要素（１８６）を設け、第２固定位置で第２方向におけるスライドレール（１２）上の固定アーム（２２）の変位可能性をブロックし、前記第２方向が第１方向に対して逆方向であることを特徴とする請求項３３または３４記載のクランプ。
【請求項３６】
第１固定位置内の第１ブロック要素（１７２）の角度位置が、第２固定位置内の第２ブロック要素（１８６）の角度位置に対して反対側であることを特徴とする請求項３５記載のクランプ。
【請求項３７】
少なくとも１つのブロック要素（１７２；１８６）がバネ負荷を受け、ここでバネ力が少なくとも１つの固定要素（１７２；１８６）をその固定位置に押し込むことを特徴とする請求項３３〜３６の１つに記載のクランプ。
【請求項３８】
少なくとも１つのブロック要素（１７２；１８６）を配置し、固定アーム（２２）上でスライドレール（１２）に対して旋回可能にすることを特徴とする請求項３３〜３７の１つに記載のクランプ。
【請求項３９】
起動装置が圧力要素（２０２）を有し、前記圧力要素が固定アーム（２２）上で直線的に変位可能であることを特徴とする上記の請求項の１つに記載のクランプ。
【請求項４０】
少なくとも１つのブロック要素（１７２；１８６）の旋回動作が、圧力要素によって起動できることを特徴とする請求項３９記載のクランプ。
【請求項４１】
圧力要素（２０２）がバネ負荷を受け、少なくとも１つのブロック要素（１７２；１８６）に作用する圧力要素（２０２）に対して、バネ力に逆らって力が及ぼされなければならないことを特徴とする請求項３９または４０記載のクランプ。
【請求項４２】
圧力要素（２０２）が、固定アームの上側または下側から起動できることを特徴とする請求項３９〜４１の１つに記載のクランプ。
【請求項４３】
少なくとも１つのスライドレール隣接要素（２８４）がスライドレール（１２；２４０）上に設置され、少なくとも１つの隣接面（２９０；２９１）を有し、前記隣接面が第１隣接面（２６；８０）に対して横に、第２隣接面（１４８）に対して横に方向付けされることを特徴とする請求項１の導入部または上記の請求項の１つに記載のクランプ。
【請求項４４】
少なくとも１つのスライドレール隣接要素（２８４）が、スライドレール（１２；２４０）上に着脱可能なように保持されることを特徴とする請求項４３記載のクランプ。
【請求項４５】
少なくとも１つのスライドレール隣接要素（２８４）が、スライドレール（１２；２４０）上にクリップ留めされることを特徴とする請求項４３または４４記載のクランプ。
【請求項４６】
少なくとも１つのスライドレール隣接要素（２８４）が、スライドレール（１２；２４０）上で変位可能であることを特徴とする請求項４３〜４５の１つに記載のクランプ。
【請求項４７】
少なくとも１つのスライドレール隣接要素（２８４）が、プラスチック材料から作製されることを特徴とする請求項４３〜４６の１つに記載のクランプ。
【請求項４８】
少なくとも１つのスライドレール隣接要素（２８４）が、単一部品で構成されることを特徴とする請求項４３〜４７の１つに記載のクランプ。
【請求項４９】
少なくとも１つのスライドレール隣接要素（２８４）が、隣接領域（２８８）、第１枝部（２８６ａ）および第２枝部（２８６ｂ）を有することを特徴とする請求項４３〜４８の１つに記載のクランプ。
【請求項５０】
スライドレール（１２；２４０）に適合させた凹部（２９４）が、第１枝部（２８６ａ）と第２枝部（２８６ｂ）の少なくとも一方の上に構成されることを特徴とする請求項４９記載のクランプ。
【請求項５１】
第１枝部（２８６ａ）と第２枝部（２８６ｂ）が弾力的な構成であり、および／または隣接領域（２８８）上に弾性的に保持されることを特徴とする請求項４９または５０記載のクランプ。
【請求項５２】
工作物用の隣接面（２９０）が、力印加装置（５０）を位置決めする側で、スライドレール（１２；２４０）より下にあることを特徴とする請求項４３〜５１の１つに記載のクランプ。
【請求項５３】
隣接面（２９０）が、スライドレール（１２；２４０）より大きな幅を有することを特徴とする請求項４３〜５２の１つに記載のクランプ。
【請求項５４】
少なくとも１つのスライドレール隣接要素（２８４）が、工作物用の隣接面（２９０）の反対側の端部において、固定アーム（２２；２４４）を超えて突出しないことを特徴とする請求項４３〜５３の１つに記載のクランプ。
【請求項５５】
少なくとも１つのスライドレール隣接要素（２８４）が、工作物用の隣接面（２９０）の反対側の端部において、ハウジング構成（３４）を超えて突出することを特徴とする請求項４３〜５４の１つに記載のクランプ。
【請求項５６】
少なくとも１つのスライドレール隣接要素（２８４）が、ハウジング構成（３４）と固定アーム（２２；２４４）の間に配置されることを特徴とする請求項４３〜５５の１つに記載のクランプ。
【請求項５７】
スライドアームが、開口部から第１ハウジング部に挿入されることを特徴とする上記の請求項の１つに記載のクランプの製造方法。
【請求項５８】
スライドアームを挿入後、保持要素が第１ハウジング部内に挿入されることを特徴とする請求項５７記載の方法。
【請求項５９】
保持要素を挿入後、第２ハウジング部が第１ハウジング部上に配置されることを特徴とする請求項５８記載の方法。
【請求項６０】
保持要素の挿入前または後に、第２軸受け装置が保持要素上に締め付けられることを特徴とする請求項５８または５９記載の方法。
【請求項６１】
スライドアームの挿入前に、第１軸受け装置のローラを保持するローラ保持要素が、第１ハウジング部に挿入されることを特徴とする請求項５７〜６０の１つに記載の方法。
【請求項６２】
第１軸受け装置のローラがピンによって、第１ハウジング部と保持要素の少なくとも一方の上に保持され、前記ピンがハウジング構成の外側から挿入されることを特徴とする請求項６１記載の方法。
【発明の詳細な説明】
【技術分野】
【０００１】
本発明は、スライドレールと、固定アームと、スライドアームと、ハウジング構成と、力印加装置を有し、前記固定アームがスライドレールに締め付けられ、工作物用の第１隣接面が前記固定アーム上に配置され、前記スライドアームがスライドレール上を変位可能であり、第１軸受け装置と、第１軸受け装置から間隙を介した第２軸受け装置が前記ハウジング構成上に保持され、前記第１軸受け装置と第２軸受け装置によって、ハウジング構成がスライドレール上を変位可能なように案内され、前記スライドアームが第１軸受け装置と第２軸受け装置の間に位置決めされ、工作物用の第２隣接面が前記ハウジング構成上に配置され、前記第２隣接面が第１隣接面と対向し、前記力印加装置がスライドアーム上に保持され、圧力部品に作用し、前記圧力部品がハウジング構成上に保持されるクランプに関する。
【０００２】
また、本発明はクランプの製造方法に関する。
【背景技術】
【０００３】
案内レールと、スライドアームと、圧力部品を備えた圧力印加スピンドルを有し、静止横アームが前記案内レール上に設置され、前記スライドアームが案内レール上を変位可能で、これに対してチルト可能であり、前記圧力部品がスライドアーム上に変位可能なように配置され、クロスアームとスライドアームの間の工作物上に圧力を及ぼすことができるアームクランプは、特許文献１より公知である。スライドアーム用の箱形取り付け要素が提供され、前記取り付け要素が工作物用の実質的に平坦な隣接面を提供し、スライドアーム上に取り付け要素を保持するために、スライドアームの圧力部品上でスライド可能なように構成され、圧力印加スピンドルによって、取り付け要素を介して工作物に圧力を及ぼすことができる。取り付け要素は少なくとも２つの間隙を介した案内凹部を有し、前記案内凹部によって案内レール上で変位可能なように配置される。
【０００４】
特許文献２は、クランプ器具用の工作物圧力印加装置を開示している。
【０００５】
特許文献３は、拡張領域内でクランプするスライドレールを備えたネジクランプを開示している。
【０００６】
特許文献４は、固定アームを有するスライドレールを備えたネジクランプを開示している。
【０００７】
上記の種類のクランプは、ボディクランプと呼ばれることもある。ハウジング構成は、圧力部品によってスライドアーム上に保持される。スライドアームは、スライドレールに対してチルト可能である。それから、スライドアームは、第２隣接面を備えたハウジング構成によって工作物上に圧力を及ぼし、第１隣接面と第２隣接面の間に１つ以上の工作物をクランプできる。
【特許文献１】ＥＰ  １  ３１４  ５１５  Ａ２
【特許文献２】ＤＥ  １０  ２００６  ００８  ８７１  Ｂ３
【特許文献３】ＤＥ  ３１  ２８  ０２３  Ａ１
【特許文献４】ＤＥ  ２８  ４４  ８３８  Ａ１
【発明の開示】
【発明が解決しようとする課題】
【０００８】
本発明の基礎を構成する目的は、簡単な方法で製造可能な上記の種類のクランプを提供することである。
【課題を解決するための手段】
【０００９】
この目的は、ハウジング構成が、開口部を有するハウジング内部を備えた第１ハウジング部を有し、前記開口部が第１隣接面に対向し、前記開口部によってクランプの製造中、スライドアームをハウジング内部に導くことができ、第２ハウジング部をハウジング構成に締め付けて、開口部を閉鎖するという点で上記のクランプを備えた本発明に従って達成される。
【００１０】
本発明によるクランプは簡単で安価な方法で組み立て可能なため、簡単で安価な方法で製造できる。スライドアームは、（第１隣接面に対向する側の）前方から開いた第１ハウジング部内に挿入できる。ハウジング内部は第２ハウジング部によって閉鎖され、１つの要素が提供され、前記要素上に第２隣接面を構成するか、または前記要素上に第２隣接面を位置決めできる。
【００１１】
第２ハウジング部は、ハウジングカバーとして構成することが望ましい。この結果として、ハウジング内部は簡単な方法で閉鎖できる。
【００１２】
特に、第２ハウジング部はハウジング構成上に固定され、好ましくは第１ハウジング部に固定される。その結果、クランプは簡単な方法で製造できる。スライドレール上のその全体の「内部作業」では、ハウジング構成の位置決めはわずかな手作業だけで十分である。
【００１３】
特に、第２ハウジング部は第１ハウジング部に少なくとも部分的に締め付けられる。この結果として、本発明によるクランプは、簡単な方法で組み立てることができる。
【００１４】
第２隣接面は隣接要素上に構成されるが、前記隣接要素は第２ハウジング部上に少なくとも部分的に保持されることが望ましい。この結果として、クランプは簡単な方法で組み立てることができる。ハウジング構成はスライドレール上に取り付け、閉鎖でき、それから第２隣接面を備えた隣接要素は、たとえば、ハウジング構成上でスライド可能になる。
【００１５】
第１ハウジング部および／または第２ハウジング部はプラスチック材料から作製することが特に望ましい。その結果、クランプは比較的低い重量で構成できる。さらに、製造が簡略化される。たとえば、射出成形を用いて、締め付けに必要な別の部品はわずかな数だけになるように構成できる。
【００１６】
第１ハウジング部はＬ字型の断面構造を有し、縦領域はスライドレールに沿って延び、横領域はスライドレールに対して横に延びていることが望ましい。これによって、第１軸受け装置と第２軸受け装置の間の縦領域に、スライドアームを変位可能なように設けることができる。圧力部品の締め付け領域は、横領域によって提供される。その結果、力印加装置を備えたスライドアームによって、およびハウジング構成を介した圧力部品によって、第１隣接面と第２隣接面の間の工作物上にクランプ力を及ぼすことができる。
【００１７】
特に、第１軸受け装置と第２軸受け装置は縦領域上に配置できる。スライドレールは、縦領域を介して案内される。
【００１８】
さらに、圧力部品は、特に横領域上に配置される。その結果、それはスライドレールから間隙を介して位置決めでき、スライドアーム上の力印加装置によって圧力を及ぼすことができ、こうしてスライドアームはスライドレールに対してチルトできる。
【００１９】
第１軸受け装置、第２軸受け装置および圧力部品を保持するために、保持要素はハウジング内部に配置することが特に望ましい。このような保持要素を用いることによって、クランプの安定な構成が提供され、この機能を確実にする。さらに、保持要素の結果として、事前組み立てを可能にし、および／または高価な締め付け動作を必要とすることなく個々の部品をそれらの位置に固定できるので、クランプの製造を簡単に構成できる。
【００２０】
保持要素は、第１軸受け装置と第２軸受け装置のローラを保持することが望ましい。スライドレールは、これらのローラ上で変位可能なように案内される。特に、スライドレールはスライドによって変位可能なように案内され、１つ以上のローラが回転可能であり、変位案内手段がここではローラスライド軸受け構成であるようにできる。
【００２１】
保持要素は、各々第１凹部と対向する第２凹部を備えた複数対の凹部を有し、各凹部にピンを設置することが望ましい。これによって、簡単な方法で保持要素上に軸受け部品を締め付けできる。ピン自体は、ローラを構成するか、またはローラの支持部である。
【００２２】
第２ハウジング部は凹部を備えた対向する舌部を有し、第２軸受け装置のピンを少なくとも部分的に挿入することがさらに望ましい。その結果、開口部を閉鎖するために、第２ハウジング部をハウジング構成上に確実に保持できる。
【００２３】
保持要素は、金属材料から好ましくは作製される。それから、保持要素は必要な安定性を有し、簡単な方法で製造できる。
【００２４】
たとえば、保持要素は第１枝部、平行に間隙を介した第２枝部、１つの面上で第１枝部と第２枝部の間の少なくとも１つの接続ウェブを有する。このような保持要素の結果として、第１枝部と第２枝部の間に間隙部が提供され、前記間隙部は第１軸受け装置と第２軸受け装置のローラを受け取ることができ、前記間隙部を介してスライドレールが案内される。さらに、このような保持要素は、スライドアームによってハウジング内部に挿入できる。さらに、保持要素上に複数の要素を事前組み立てできる。
【００２５】
特に、第１枝部と第２枝部は各々Ｌ字型であり、ハウジング構成の構造に適合させる。
【００２６】
少なくとも１つの接続ウェブは、第１ハウジング部の開口領域内に位置決めすることが望ましい。工作物を所定の場所にクランプする場合、高い力がこの領域に作用し、前記高い力は少なくとも１つの接続ウェブによって吸収できる。
【００２７】
保持要素は開口面を有し、前記開口面少なくとも１つの接続ウェブを備えた面と反対側にあることがさらに望ましい。保持要素は、開口面を備えたローラ保持要素上でスライドできる。これによって、本発明によるクランプを簡単に製造できる。
【００２８】
第１軸受け装置のローラを保持するために、ハウジング内部にローラ保持要素を配置することが特に望ましい。ローラ保持要素は、クランプの製造中、組み立て補助として役立つ。ローラはローラ保持要素内に挿入し、ローラ保持要素によってハウジング構成内に正確に位置決めできる。スライドアームはクランプの組み立て中に挿入でき、それから保持要素を挿入できる。その結果、第１軸受け装置は、簡単な方法で製造でき、ハウジング内部に位置決めできる。
【００２９】
特に、ローラ保持要素は、固定アームから離れた第１ハウジング部の第１面の領域内に配置される。ローラ保持要素は、好ましくは対応する面の壁に接触する。これによって、ローラの簡単な位置決めが可能になる。
【００３０】
それから、第１軸受け装置と第２軸受け装置用の保持要素は、ローラ保持要素上の開端に対してスライドされることが望ましい。この結果として、保持要素は簡単な方法でローラに対して方向付けされ、これらは、たとえば、ピンによって保持要素に締め付けることができる。さらに、ローラ保持要素はそれから保持要素用のハウジング内部のスペーサとして作用する位置決め補助として機能できる。保持要素がハウジング内部に挿入され、ローラ保持要素上でスライドされると、ハウジング内部のその正確な位置に自動的に到達する。
【００３１】
第１ハウジング部は凹部を有し、第１軸受け装置のピンは前記凹部に少なくとも部分的に挿入することが望ましい。ローラは、この結果として、簡単な方法でハウジング構成上に締め付けることができる。ピンはクランプの製造中、外側から導くことができ、簡単な製造を可能にする。さらに、第１軸受け装置はハウジング構成上に確実に保持される。
【００３２】
第１隣接面と第２隣接面は実質的に互いに平行に整列させることが特に望ましい。その結果、第１隣接面と第２隣接面の間の所定の位置に１つ以上の工作物をクランプでき、このクランプ力は第１隣接面と第２隣接面に実質的に垂直に作用する。
【００３３】
特にこの場合、第１隣接面と第２隣接面は、スライドレールの縦方向に対して実質的に垂直に方向付けされる。これによって、本発明によるクランプの利用可能性が拡大する。
【００３４】
特に、スライドレールは、第１隣接面と第２隣接面（またはそれに対して整列したこれらの拡張部）を介して案内される。この結果として、第１隣接面と第２隣接面は閉鎖した隣接領域を有し、前記領域は（少なくとも）スライドレールの範囲に延びる。
【００３５】
ハウジング内部は、凹部を除く第２隣接面に対向配置された面において閉鎖することが望ましく、スライドレールは前記凹部を通過させる。こうして、ハウジング内部は汚れ等から保護される。
【００３６】
同じ理由で、ハウジング内部は、ハウジング構成の下側および／または上側で閉鎖することが望ましい。
【００３７】
ハウジング内部は横方向に閉鎖することが、同じ理由でさらに望ましい。
【００３８】
固定アームは、スライドレール上に固定的に変位可能なように配置することもできる。スライドレール上のその位置は調整でき、対応する各位置は固定位置である。
【００３９】
圧力部品は力印加装置の保持ヘッド用の保持ヘッド位置決めと、保持ヘッド位置決め内に保持ヘッドを締め付けるための少なくとも１つの固定要素を有することがクランプの製造には望ましく、少なくとも１つの固定要素は固定要素配置空間に配置され、保持ヘッドによって通過されなければならず、少なくとも１つの固定要素と固定要素配置空間は、保持ヘッドの挿入方向内で少なくとも１つの固定要素を介して保持ヘッド配置空間に通過させるための力の支出が、保持ヘッド配置空間から保持ヘッドの除去方向に通過させるための力の支出より小さくなるように構成する。このような工作物の力印加手段は、先に公開されていない特許文献２に記述されており、この参照は明示的に行われる。この結果として、圧力部品はハウジング構成（たとえば、保持要素）に締め付けることができ、それから保持ヘッドの製造中に容易に挿入でき、前記圧力部品は力印加装置上に設置されるので、クランプは簡単な方法で製造できる。さらに、圧力部品は力印加装置にしっかりと確実に締め付けることができる。
【００４０】
本発明の追加の目的は、様々な使用可能性を有する上記の種類のクランプを提供することである。
【００４１】
この目的は、固定アームが少なくとも１つのブロック要素を有し、前記ブロック要素が固定位置で、少なくとも１つの方向でスライドレールに対する固定アームの動きをブロックし、起動装置を設け、前記起動装置によって少なくとも１つのブロック要素の傾斜を変更可能にし、固定アームがスライドレール上のその位置を調整するために、スライドレール上で変位可能になるという点で上記のクランプを備えた本発明によって実現される。
【００４２】
本発明による解決策では、スライドレール上を固定的に変位可能な固定アームが提供される。固定アームは、少なくとも１つのブロック要素（ブレーキ要素）によってスライドレールに締め付けられる。
【００４３】
この固定位置は、起動装置の動作によって開放できる。締め付けは少なくとも１つのブロック要素の傾斜位置を変更することによって開放され、固定アームは操作者が望んだスライドレール上の位置に導くことができる。こうして操作者は自ら簡単な方法で、スライドレール上の固定アームの位置を決定できる。
【００４４】
特に、操作者は、位置を調整するために道具を必要としない。固定アームはネジ等を開放することによって開放する必要はなく、その代わり、少なくとも１つのブロック要素のブロック位置（固定位置）を開放することによって、簡単な方法で調整可能な構成を実現できる。
【００４５】
少なくとも１つのブロック要素は凹部を備えた板（好ましくは金属板）であり、前記凹部を介してスライドレールが案内される。この結果として、スライドレール上のチルトは少なくとも１つのブロック要素によって簡単な方法で実現でき、これが固定アームの変位可能性をブロックする。
【００４６】
第１ブロック要素を設け、第１固定位置において第１方向のスライドレール上の固定アームの変位可能性をブロックし、第２ブロック要素を設け、第２固定位置において第２方向のスライドレール上の固定アームの変位可能性をブロックし、前記第２方向が第１方向に対して逆方向であることが特に望ましい。これによって、力が作用する全ての方向に対して、スライドレール上の固定アームの確実な締め付けが可能になる。
【００４７】
特に、第１固定位置内の第１ブロック要素の角度位置は、第２固定位置内の第２ブロック要素の角度位置と反対側になる。つまり、対応する角度は逆の符号を有する。この場合、角度は、スライドレールの縦方向に対して旋回軸から働くように測定されるのが好ましい。２つのブロック要素を設ける場合、第１ブロック要素と第２ブロック要素の旋回軸はスライドレールに対して同じ側、またはスライドレールに対して異なる側になる。第１の場合、つまり旋回軸がスライドレールの同じ側にある場合、第１ブロック要素と第２ブロック要素は互いにミラー反転形態で好ましくは方向付けされる。つまり、固定位置では、それらはスライドレールの縦方向に対して、同じ角度の値で異なる符号を有する。旋回軸がスライドレールの異なる側にある場合、第１ブロック要素と第２ブロック要素は各固定位置で、互いに平行に整列されることが好ましい。各旋回軸は、ミラー軸に対して好ましくは点対称に配置される。ここで、角度を旋回軸から測定する場合、この角度も等しい値と異なる符号を有する。
【００４８】
少なくとも１つのブロック要素はバネ負荷を受け、このバネ力は少なくとも１つのブロック要素をその固定位置に押し込むことが特に望ましい。起動装置が作用しない場合、少なくとも１つのブロック要素はその固定位置にブロックされる。固定位置は、バネ力に逆らう力の作用によって開放できる。
【００４９】
少なくとも１つのブロック要素は、固定アーム上のスライドレールに対して旋回可能なように配置することが構造的に望ましい。この結果として、たとえば、少なくとも１つのブロック要素を対応する傾斜位置（チルト位置）に押し付けるバネによって、固定位置は簡単な方法で到達できる。この固定位置は、反対方向に旋回させることによって簡単な方法で開放できる。
【００５０】
起動装置は圧力要素を有し、前記圧力要素は固定アーム上で直線的に変位可能であることが特に望ましい。この圧力要素によって、少なくとも１つのブロック要素は対応する移動によって作用できる。特に、圧力要素の作用によって、少なくとも１つのブロック要素は固定位置から旋回され、スライドレール上の固定アームの変位可能性を開放させる。
【００５１】
少なくとも１つのブロック要素の旋回運動は、簡単な方法で固定位置を開放するために圧力要素によって起動できることが特に望ましい。
【００５２】
圧力要素はバネ負荷を受けることが望ましく、少なくとも１つのブロック要素に作用させる圧力要素に対して、力はバネ力に逆らって及ぼされなければならない。通常位置では、圧力要素は少なくとも１つのブロック要素に作用しない。バネ力は、この通常位置に圧力要素を位置決めする。力が圧力要素に及ぼされると、バネ力は少なくとも１つのブロック要素に作用可能なように克服されなければならない。その結果、固定アームは簡単な方法で「操作」し、スライドレール上のその位置を変更できる。
【００５３】
特に、圧力要素は、固定アームの上側または下側から起動できる。これによって、構造的に簡単な構成および操作性がもたらされる。特に、固定アームの隣接面が自由に保持される。
【００５４】
本発明の他の目的は、簡単で確実な方法で使用可能な上記の種類のクランプを提供することである。
【００５５】
この目的は、少なくとも１つのスライドレール隣接要素がスライドレール上に設置され、少なくとも１つの隣接面を有し、前記隣接面が第１隣接面に対して横に方向付けられ、第２隣接面に対して横に方向付けられるという点で上記のクランプを備えた本発明に従って実現される。
【００５６】
このような隣接面はスライドレール隣接要素によって提供されるが、前記スライドレール隣接要素の隣接面（カバー面）によって、クランプは工作物の上面で工作物上に配置できる。
【００５７】
また、スライドレール隣接要素は上側端部上の面を有する。この面によって、クランプは支持部上にも配置可能であり、この面も隣接面（配置面）になるようにできる。ハウジング構成がこの配置端部を超えて突出しない場合、クランプを所定の位置に設置したとき、ハウジング構成はスライドアームと共に変位可能になる。
【００５８】
さらに、クランプは、少なくとも１つのスライドレール隣接要素によって、ベンチのような支持部に締め付けることができる。対応する隣接要素が開口部を有する場合、たとえば、ＢＥＳＳＥＹ  Ｔｏｏｌ  ＧｍｂＨ  ＆  Ｃｏ．ＫＧのベンチブラケットＴＫ６などのピン（ボルト）ブラケットを備えたベンチ状の支持部にそれを締め付けることができ、クランプ自体もこれに締め付けることができる。
【００５９】
さらに、工作物は、スライドレールと接触しないように保護される。
【００６０】
少なくとも１つのスライドレール隣接要素は、スライドレール上に着脱可能なように保持されることが望ましい。その結果、それはスライドレール上に位置決めされ、必要に応じて簡単な方法でそこから取り外すこともできる。
【００６１】
少なくとも１つのスライドレール隣接要素は、スライドレール上にクリップ留めすることも望ましい。これによって前記隣接要素は取り付け可能で、簡単な方法で再び取り外すことも可能になる。
【００６２】
少なくとも１つのスライドレール隣接要素は、スライドレール上で変位可能であることがさらに望ましい。これによって、簡単な方法でこの隣接要素を位置決めできる。たとえば、少なくとも１つのスライドレール隣接要素は、前記スライドレールの縦方向に平行な方向に対して、スライドレール上で摩擦係合によって保持することが実現される。摩擦力を克服するために、それに応じて高い力の支出を用いれば、スライドレール隣接要素を配置できる。
【００６３】
少なくとも１つのスライドレール隣接要素はプラスチック材料から作製され、好ましくは単一部品で構成されることが望ましい。これは、安価な製造と簡単な操作性をもたらす。さらに、工作物の保護が最適化される。
【００６４】
少なくとも１つのスライドレール隣接要素は、隣接領域、第１枝部および第２枝部を有することがさらに望ましい。隣接面は、隣接領域上に構成される。スライドレールは第１枝部と第２枝部の間に導かれ、少なくとも１つのスライドレール隣接要素をスライドレールに締め付けることができる。枝部の端部に、別の隣接面を構成することもできる。
【００６５】
好ましくは、スライドレールに適合させた凹部は、第１枝部および／または第２枝部上に構成される。スライドレールはこの凹部に挿入でき、こうして確実な固定構成が実現でき、この構成によってスライドレール上で離脱しないように、少なくとも１つのスライドレール隣接要素を確実に締め付けることができる。
【００６６】
第１枝部と第２枝部は弾力的な構成であり、および／または隣接領域上に弾性的に保持されることが望ましい。この結果として、少なくとも１つのスライドレール隣接要素は、第１枝部と第２枝部を広げることによってスライドレール上に配置でき、スライドレールの縦方向に対して摩擦係合によって、および、たとえば、また縦方向に対して横方向に確実な固定構成でこれに固定できる。
【００６７】
隣接面は好ましくは、力印加装置を位置決めする側ではスライドレールの下にある。その側には、第１隣接面と第２隣接面もある。この結果として、工作物はスライドレールと接触しないように保護できる。
【００６８】
特に、少なくとも１つの隣接面はスライドレールより大きな幅を有する。たとえば、少なくとも１つの隣接面は、固定アームの第１隣接面および／またはハウジング構成の第２隣接面に対応する幅を有する。これによって、取り付ける際、クランプのチルトが困難になる。
【００６９】
少なくとも１つのスライドレール隣接要素は、（第１隣接面と第２隣接面の間に設置される）工作物用の隣接面に対向する端部において、固定アームを超えて突出しないことがさらに望ましい。その結果、クランプは、固定アームによって適切な位置に取り付けることができる。
【００７０】
少なくとも１つのスライドレール隣接要素は、工作物用の隣接面に対向する端部においてハウジング構成を超えて突出することがさらに望ましい。この結果として、ハウジング構成は、この端部に対して後方に設置される。クランプを取り付ける際、やや後方に設置したハウジング構成をスライドレール上で移動できる。典型的な突出寸法は、１ｍｍ以下である。
【００７１】
少なくとも１つのスライドレール隣接要素はハウジング構成と固定アームの間に配置され、こうして第１隣接面と第２隣接面の間にある１つ以上の工作物がスライドレールと接触しないようにすることが望ましい。
【００７２】
本発明の別の目的は、上記の種類のクランプを製造するための簡単な方法を提供することである。
【００７３】
この目的は、本発明によるクランプでは、クランプの製造中、開口部から第１ハウジング部内にスライドアームを挿入するという点で本発明に従って実現される。開口部のためにハウジング内部へのアクセスが最適化され、簡単な方法でハウジング内部にスライドアームを位置決めできる。
【００７４】
スライドアームを挿入後、第１ハウジング部に保持要素を挿入することがさらに望ましい。保持要素は、第１軸受け装置、第２軸受け装置および圧力部品を保持するために役立つ。この場合、たとえば、保持要素上で第２軸受け装置を事前組み立てし、保持要素上に圧力部品を締め付けることによって事前組み立てを実行できる。
【００７５】
特に、保持要素を挿入後、第１ハウジング部上に第２ハウジング部を配置し、こうして開口部は閉鎖される。
【００７６】
たとえば、第２軸受け装置のローラは、保持要素を挿入する前または後に保持要素に締め付けられる。
【００７７】
ローラ保持要素は第１軸受け装置のローラを保持するが、前記ローラ保持要素はスライドアームの挿入前に第１ハウジング部内に挿入することが特に望ましい。このローラ保持要素は、クランプを組み立てる際の補助として役立つ。それは、ハウジング内部に正確に整列させて、第１軸受け装置のローラが位置決めされるようにする。
【００７８】
第１軸受け装置のローラは、ピンによって第１ハウジング部および／または保持要素上に保持されることがさらに望ましく、前記ピンはハウジング構成の外側から挿入される。ハウジング構成上への第１軸受け装置の製造と固定および組み立ての支出は、その結果として最小化される。
【発明の効果】
【００７９】
本発明によれば、簡単で確実な方法で使用可能なクランプを、安価で簡単な製造方法で製造することが可能である。
【発明を実施するための最良の形態】
【００８０】
好ましい実施形態の以降の記述は、図面と共にさらに詳しく本発明を説明するために役立つ。本発明によるクランプの第１実施例は図１と２に示され、そこでは参照番号１０が与えられており、前記実施例はスライドレール１２を有する。スライドレール１２は、金属材料から作製される。それは、縦方向１３に延びている。それは、上側１４と下側１６を有する。上側１４および／または下側１６には、この場合、溝を形成することができる。さらに、スライドレール１２は、両側の側面１８ａ、１８ｂを有する。
【００８１】
スライドレール１２は、成形される。断面形状は、実質的に長方形である。
【００８２】
スライドレール１２は、第１端部２０ａと、反対側の第２端部２０ｂを有する。
【００８３】
固定アーム２２は、第２端部２０ｂ上またはその近傍に配置される。この場合、固定アーム２２は、スライドレール１２上を固定可能なように変位できる。つまり、その位置は縦方向１３に対して調整可能であるか、または固定アーム２２をスライドレール１２に締め付けて、変更不可能なように固定できる。固定アーム２２がスライドレール１２上を固定可能なように変位できる場合、スライドレール１２の第２端部２０ｂ上またはその近傍に、たとえば、ピン状の凸領域２４を配置し、凸領域によって固定アーム２２が第２端部２０ｂの方向にスライドレール１２から取り外されないようにできる。
【００８４】
固定アーム２２は、工作物用の第１隣接面２６を有する。この第１隣接面２６は実質的に平坦であり、スライドレール１２の縦方向１３に対して実質的に垂直に延びている。この場合、第１隣接面２６は下側１６を超えて延びる側面から、上側１４を超えて延びる側面までを指す。つまり、第１隣接面２６は、スライドレール１２を超えて延びている。
【００８５】
第１隣接面２６は対応する隣接要素２８上に構成し、隣接要素２８上には凹部３０を形成し、スライドレール１２は凹部３０を通過し、スライドレール１２上に固定アーム２２を締め付け可能にする。
【００８６】
固定アーム２２は別の隣接面３２を有するように提供することもでき、別の隣接面３２は第１隣接面２６から反対側にある。この別の隣接面３２も好ましくは平坦であり、特にその第１隣接面２６と平行である。
【００８７】
固定アーム２２の実施形態は、以降でさらに詳しく述べる。
【００８８】
クランプ１０は、特にボディクランプとして構成される。それはハウジング構成３４（ボディ）を有し、スライドレール１２はハウジング構成３４内を通過し、ハウジング構成３４はスライドさせることによってスライドレール１２上で変位可能なように案内される。
【００８９】
このため、スライドレール１２上のスライドおよび変位可能な取り付け用の第１軸受け装置３６と、第２軸受け装置３８はハウジング構成３４上に配置される。第１軸受け装置３６と第２軸受け装置３８は、縦方向１３内で互いに間隙を有する。
【００９０】
第１軸受け装置３６と第２軸受け装置３８の詳細な構成は、図３による分解図と共に以降でさらに詳しく説明する。
【００９１】
ハウジング構成３４は第１ハウジング部４０を有し、第１ハウジング部４０は縦方向１３に延びる縦領域４２と、縦方向１３に対して横に、特にこれに対して垂直に延びる横領域４４を有する。第１ハウジング部４０は好ましくはプラスチック材料から作製され、単一部品または、たとえば、２つのハウジングシェルを備えた２つの部品で構成される。
【００９２】
第１軸受け装置３６と第２軸受け装置３８は、縦領域４２上に構成される。スライドレール１２は、それに応じて縦領域４２を通過する。
【００９３】
ハウジング構成３４はハウジング内部４６を有し、ハウジング内部４６は第１ハウジング部４０によって特に画定される。
【００９４】
ハウジング内部４６にはスライドアーム４８を配置し、スライドアーム４８は第１軸受け装置３６と第２軸受け装置３８の間に位置決めされる。スライドアーム４８は、スライドレール１２上を変位可能なように案内される。このために、それは凹部を有し、スライドレール１２は前記凹部を通過する。スライドレール１２は、横方向内で縦方向１３に延びている。
【００９５】
力印加装置５０は、スライドアーム４８上に保持される。このために、中空円筒要素５２は雌ネジ５４を有し、中空円筒要素５２はスライドアーム４８上に配置され、スライドアーム４８は特に金属材料から作製される。中空円筒要素５２は、スライドアーム４８上に特に単一部品で形成される。それは、スライドレール１２から間隙を介している。雄ネジを備えたスピンドル５６は、中空円筒要素５２の雌ネジ５４内に配置される。ハンドル６０はスピンドル５６上に設置され、ハンドル６０によってスピンドル５６の回転運動を中空円筒要素５２内で起動できる。
【００９６】
ハンドル６０から離れたその端部では、スピンドル５６は保持ヘッド（図には示さず）を有し、圧力部品６２は保持ヘッド上に保持される。力は、圧力部品６２を介して力印加装置５０によって、ハウジング構成３４上に及ぼすことができる。
【００９７】
圧力部品６２は、保持ヘッド配置空間６４を有する。保持ヘッドは、たとえばスピンドル５６の球状であるが、前記保持ヘッドはこれに挿入される。
【００９８】
圧力部品は、先に公開されていない特許文献２に述べられているように、工作物圧力印加手段として構成することもできる。したがって、少なくとも１つの固定要素は、保持ヘッド配置空間６４内に保持ヘッドを締め付けるために、圧力部品６２上に配置される。この固定要素は固定要素配置空間内に位置決めされ、保持ヘッドによって貫通されなければならない。少なくとも１つの固定要素と固定要素配置空間は、保持ヘッドの挿入方向で保持ヘッド配置空間に少なくとも１つの固定要素を通過させるための力の支出が、保持ヘッドの除去方向で保持ヘッド配置空間から通過させるための力の支出より小さくなるように構成される。これは、以降でさらに詳しく述べるようにクランプ１０の製造を簡略化する。
【００９９】
スライドアーム４８は、スライドレール１２上でチルトできる。それによって、クランプ力を生成するために、圧力部品６２を介して、ハウジング構成３４上に力を及ぼすことができる。スライドアーム４８のチルト機能のために、対応するクランプ位置が確保される。
【０１００】
ハウジング構成３４は、スライドアーム４８を受け取るため、および力印加のために役立つ。
【０１０１】
保持要素６６（図３）は第１軸受け装置３６、第２軸受け装置３８および圧力部品６２を保持するために役立つが、保持要素６６はハウジング内部４６に配置される。このために、保持要素６６は、第１枝部６８ａと、それに対して平行に間隙を介した第２枝部６８ｂを有する。第１枝部６８ａと第２枝部６８ｂはＬ字型の構造を有し、ここで２つの枝部６８ａと６８ｂは基本的に同様に構成される。
【０１０２】
２つの枝部６８ａと６８ｂは、接続ウェブ７０によって端面で互いに接続される。この場合、保持要素６６は特に単一部品で構成され、好ましくは金属材料から作製される。接続ウェブ７０を用いた接続のために、保持要素６６は上から下に見てＵ字型の構造を有する（第１枝部６８ａと第２枝部６８ｂのＬ字型の構成のために、それは横から見てＬ字型の構造を有する）。
【０１０３】
第１ハウジング４０に適合させて、保持要素６６は縦領域７２と横領域７４を有し、ここで横領域７４は縦領域７２に対して横に、スライドレール１２の縦方向１３に対して横に方向付けされる。
【０１０４】
横領域７４では、保持要素６６は対向するスロットを有し、圧力板７８と共に前記スロットに圧力部品６２を挿入する。この結果として、圧力板７８は、スライドレール１２上のハウジング構成３４に対するその運動において、ハウジング構成３４の変位方向８０に対してブロックされる（この場合、変位方向８０は、固定アーム２２に向かうハウジング構成３４の進行方向と、固定アーム２２から離れるハウジング構成３４の復帰方向を含んでいる）。
【０１０５】
スロット７６ａ、７６ｂはこの場合、好ましくは上向きに開口し、圧力部品６２は簡単な方法で上からその圧力板７８と共に挿入できる。
【０１０６】
保持要素６６はその別の端面において開口し、前記端面は接続ウェブ７０に反対にあり、クランプ１０の製造中にスライドアーム４８上でスライド可能にする。
【０１０７】
第１軸受け装置３６を構成するために、凹部対８２ａ、８２ｂは、接続ウェブ７０から離れた端面領域で保持要素６６の横領域７４上に配置される。この場合、凹部対８２ａ、８２ｂは各々、凹部８４ａ、８４ｂまたは８６ａ、８６ｂを有する。これらの凹部８４ａ、８４ｂは特に保持要素６６の貫通凹部として構成され、ここで凹部８４ａと８６ａは第２枝部６８ｂ内に形成され、凹部８４ｂと８６ｂは第１枝部６８ａ内に構成される。凹部対８２ａ、８２ｂの凹部は、互いに整列させて方向付けされる。凹部対８２ａの凹部８４ａ、８４ｂはこの場合、凹部対８２ｂの凹部８６ａ、８６ｂ上にある。
【０１０８】
ピン８８は、凹部対８２ａの凹部８４ａ、８４ｂを介して導かれる。このピンは回転可能なローラ９０を保持し、ここでローラ９０は第１枝部６８ａと第２枝部６８ｂの間に配置される。対応する形態において、ピン９２は凹部対８２ｂの凹部８６ａ、８６ｂを介して導かれ、第１枝部６８ａと第２枝部６８ｂの間にローラ９４を保持し、ここでローラ９４は回転可能である。
【０１０９】
第１ハウジング部４０は貫通孔９６ａ、９６ｂ、９８ａ、９８ｂを有し、これらは保持要素６６をハウジング内部４６に位置決めする際、凹部８４ａ、８４ｂおよび凹部８６ａ、８６ｂと整列させる。その結果、ヘッド１００を有するピン８８は、開口部９６ａ、凹部８４ａ、第１枝部６８ａと第２枝部６８ｂの間隙部、凹部８４ｂおよび開口部９６ｂを貫通できる。それは、対向ヘッド１０２によってハウジング構成３４上に固定される。それに応じて、ピン９２は、開口部９６ａ、凹部８６ａ、第１枝部６８ａと第２枝部６８ｂの間隙部、凹部８６ｂおよび開口部９８ｂを貫通でき、それは対向ヘッド１０２に対応する対向ヘッドによって固定される。
【０１１０】
それから、第１軸受け装置３６を構成し、ここで保持要素６６もピン８８と９２によって第１ハウジング部４０上に締め付けられる。
【０１１１】
ローラ９０、９４を固定する、つまり回転不可能にし、スライドレール１２だけがスライドするように配置することも基本的に可能である。スライドレール１２はローラ９０、９４の間にあるが、ローラ９０、９４が回転可能であれば、ローラ軸受け構成も提供される。ローラ９０、９４はピン８８と９２によって直接構成することも追加的に可能である。
【０１１２】
貫通凹部を備えた凹部対１０４ａ、１０４ｂは、接続ウェブ７０を配置する保持要素６６の端面の近傍にも形成される。この場合、凹部対１０４ａは凹部対８２ａと同じ高さにあり、凹部対１０４ｂは凹部対８２ｂと同じ高さにある。
【０１１３】
各ピン１０６、１０８はスライドレール１２の取り付け用のローラを保持するか、またはその上にスライドレール１２のスライド取り付け用にローラが構成されるが、各ピン１０６、１０８は凹部対１０４ａの凹部および凹部対１０４ｂの凹部内に設置される。対応するローラは回転可能なように設置するか、または対応するピン１０６または１０８上に回転不可能なように設置することも基本的に可能である。その結果、第２軸受け装置３８が構成される。
【０１１４】
第１ハウジング部は端部壁１１０を有し、端部壁１１０はスライドレール１２の第１端部２０ａに対向する。この端部壁１１０は凹部１１２を除いて閉鎖され、スライドレール１２は凹部１１２を通過する。
【０１１５】
その上、第１ハウジング部４０は対向する側壁１１４ａ、１１４ｂを有し、側壁１１４ａ、１１４ｂは閉鎖される。さらに、第１ハウジング部４０は下側１１６および上側１１８に閉鎖した壁を各々有する。
【０１１６】
固定アーム２２から反対側の第１ハウジング部４０の後側上には、第１ハウジング部４０は貫通孔１２０を有し、スピンドル５６またはスライドアーム４８は貫通孔１２０を貫通できる。そして、力は圧力部品６２上の力印加装置５０を介して及ぼすことができ、圧力部品６２は保持要素６６上に設置する。
【０１１７】
さらに、上側の縦領域４２上では、第１ハウジング部４０は開口部１２２を有し、開口部１２２によって第１軸受け装置３６と第２軸受け装置３８の間のハウジング構成３４に対して、ハウジング内部４６のスライドアーム４８の相対的移動が可能になる。
【０１１８】
ハウジング内部４６では、端部壁１１０に隣接またはこれに接触してローラ保持要素１２４が設置される。このローラ保持要素１２４は、クランプ１０の製造を簡略化するために役立つ。それは凹部１２６を有し、スライドレール１２は凹部１２６を貫通できる。さらに、それは凹部１２８ａと１２８ｂを有し、ローラ９０と９４は凹部１２８ａと１２８ｂに挿入できる。この結果として、ローラ９０と９４は、保持要素６６を挿入前の製造中、正確な位置に一時的に保持できる。
【０１１９】
この場合、ローラ保持要素１２４は両側に後退領域１２９を有し、後退領域１２９上で保持要素６６はその端面領域内をスライドし、前記端面は接続ウェブ７０の反対側に配置される。さらに、ハウジング構成３４は第２ハウジング部１３０を有し、第２ハウジング部１３０によって第１ハウジング部４０の開口部１３２は閉鎖される。この場合、開口部１３２は上側１１８と下側１１６の間、および第１ハウジング部４０の側壁１１４ａと１１４ｂの間にも延びている。開口部１３２は、第１ハウジング部４０のハウジング内部４６に、ローラ保持要素１２４、スライドアーム４８および保持要素６６を挿入するために役立つ。
【０１２０】
開口部１３２は、実質的に長方形の断面を有する。
【０１２１】
第２ハウジング部１３０は、第１ハウジング部４０に固定される。このために、それは対応するラグ１３４ａ、１３４ｂを有し、ラグ１３４ａ、１３４ｂは特に舌状であり、第２ハウジング部１３０を第１ハウジング部４０上に締め付けたとき、ハウジング内部４６に挿入され、固定締め付けを確実にする。この場合、舌部１３４ａ、１３４ｂは、第１ハウジング部４０の上側１１８と下側１１６に関連付けられる。
【０１２２】
さらに、第２ハウジング部１３０は横に対向する舌部１３６ａ、１３６ｂを有し、舌部１３６ａ、１３６ｂによって第２ハウジング部１３０は第１ハウジング部４０に締め付けることができ、特に所定の位置に固定できる。舌部１３６ａ、１３６ｂは、たとえば、波状構造１３８を有する。対向して整合する波状構造１４０は波状構造１３８を受け取るために役立つが、波状構造１４０は第２ハウジング部上に構成される。第２ハウジング部４０上の波状構造１４０はハウジング内部４６内に突出しないように構成され、保持要素６６はハウジング内部４６に配置される。その結果、波状構造１３８は、保持要素６６を横方向に通過して位置決めできる。
【０１２３】
舌部１３６ａ、１３６ｂは第２ハウジング部１３０の下側の範囲に延び、この場合凹部１４２ａ、１４２ｂおよび１４４ａ、１４４ｂを有することも提供できる。凹部１４２ａと１４２ｂは特に貫通孔として構成されるが、凹部１４２ａと１４２ｂは凹部対１０４ａの凹部に適合させる。凹部１４４ａ、１４４ｂは特に貫通孔として構成されるが、凹部１４４ａ、１４４ｂは凹部対１０４ｂの凹部に適合させる。
【０１２４】
ピン１０６と１０８は保持要素６６上に設置されるが、ピン１０６と１０８は第１枝部６８ａと第２枝部６８ｂを超えて横方向に突出する。それから第２ハウジング部１３０は保持要素６６上に設置でき、ここでピン１０６は少なくとも部分的に凹部１４２ａ、１４２ｂ内に突出し、ピン１０８は少なくとも部分的に凹部１４４ａと１４４ｂ内に挿入される。その結果、第２ハウジング部１３０は保持要素６６に締め付けることができ、こうして舌部１３４ａ、１３４ｂによって第２ハウジング部１３０に固定し、舌部１３６ａ、１３６ｂによって（たとえば、舌部１３６ａ、１３６ｂを介した確実な固定接続によって）固定することに加えてさらに保持できる。
【０１２５】
特に、第２ハウジング部１３０は単一部品でプラスチック材料から作製される。
【０１２６】
特に、スライドさせる隣接要素１４６は、第２ハウジング部１３０上に設置する。隣接要素１４６は、好ましくはプラスチック材料から作製される。工作物用の第２隣接面１４８は、隣接要素１４６上に形成される。この第２隣接面１４８は実質的に平坦であり、固定アーム２２は第１隣接面２８と実質的に平行に整列させる。さらに、第２隣接面１４８はハウジング構成３４上に配置されるが、第２隣接面１４８はスライドレール１２の縦方向１３に対して実質的に直交する。
【０１２７】
さらに、第２隣接面１４８は、（スライドレール１２に対して）上側から下側までスライドレール１２を超えて延びている。
【０１２８】
第２ハウジング部１３０は凹部１５０を有し、凹部１５０は貫通孔として構成される。これは、隣接要素１４６内の凹部１５２に対して整列させて方向付けする。スライドレール１２は、凹部１５０と１５２を通過させる。
【０１２９】
ハウジング構成３４は下記のように製造し、スライドレール１２に対して締め付けられる。
【０１３０】
ローラ９０と９４は、ローラ保持要素１２４内に挿入される。ローラ９０と９４を挿入したローラ保持要素１２４は、中空の円筒であるローラ９０が開口部９６ａ、９６ｂに対して整列して方向付けされ、ローラ９４が開口部９８ａ、９８ｂに対して整列されるまで、第１ハウジング部４０のハウジング内部４６内に挿入される。
【０１３１】
特に、ローラ保持要素１２４は、整列した構成が端部壁１１０の内側に対して隣接して到達するように構成され、それに応じてローラ保持要素１２４は端部壁１１０の内側でハウジング内部４６の内側の高さに対応する高さを有する。
【０１３２】
スライドレール１２は、事前に凹部１１２を介して既に貫通させているか、またはローラ保持要素１２４の位置決め後に貫通させる。
【０１３３】
ローラ保持要素１２４の位置決め後、スライドアーム４８はスライドレール１２上に配置され、ハウジング内部４６に導かれる。この場合、力印加装置５０は圧力部品６２なしでスライドアーム上に事前に配置することも、その後、締め付けることもできる。
【０１３４】
圧力部品６２は、スロット７６ａ、７６ｂ内に提供された保持要素６６上に締め付けられる。
【０１３５】
さらに、ピン１０６と１０８は、第２軸受け装置３８を構成するために締め付けられる。
【０１３６】
それに応じて準備された保持要素６６は、その開いた端面を備えた開口部１３２を介して、ハウジング内部４６を挿入される。この場合、第２ハウジング部１３０は保持要素６６上に既に配置されていてもよく、特に、ピン１０６と１０８は第２ハウジング部１３０の対応する凹部１４２ａ、１４２ｂまたは１４４ａ、１４４ｂ内に挿入される。
【０１３７】
保持要素６６は、第１枝部６８ａと第２枝部６８ｂがローラ保持要素１２４の対応する隣接領域１２９と重複するまで変位される。その結果、ローラ９０と９４は、凹部対８２ａと８２ｂに対して正確に位置決めされる。第１ハウジング４０部への保持要素６６の対応する適合により、第１ハウジング４０が第２ハウジング部１３０を閉鎖できれば正確な整列が実現される。この閉鎖は固定によって実現され、上記のように、第２ハウジング部１３０は保持要素６６と共に変位されるか、またはその後、第２ハウジング部１３０が取り付けられる。
【０１３８】
両方の場合、スライドレール１２は凹部１５０を介して導かれる。
【０１３９】
それから、隣接要素１４６は所定の場所に配置され、特に横からスライドされる。凹部１５２は、それに応じてスロット状になる。
【０１４０】
ピン９８は開口部９６ａ、９６ｂを通過させ、対向ヘッド１０２に固定される。この場合、保持要素６６の対応する整列と共に、ピン８８はローラ９０、および凹部８４ａと８４ｂを通過させる。
【０１４１】
ピン９２は、同じ方法で通過させる。
【０１４２】
その結果、内部にスライドアーム４８を配置したハウジング構成３４が製造され、ここで第２隣接面１４８も提供される。さらに、スライドレール１２２対して、第１軸受け装置３６と第２軸受け装置３８が形成される。
【０１４３】
スピンドル５６はハンドル８６において回転され、その保持ヘッドが圧力部品６２の保持ヘッド配置空間６４に入るようにする。それから、圧力部品６２は力印加装置５０上に締め付けられる。
【０１４４】
スライドレール１２が凸状領域２４（または第２実施例に基づいて以降でさらに詳しく述べるように、溝付きのピン）を備えている場合、ハウジング構成３４の個々の部品は組み立て前に、まずスライドレール１２の端部２０ａからスライドレール１２上にネジを切る必要がある。この場合、ネジ切りは、隣接要素１４６、第２ハウジング部１３０、保持要素６６、ローラ保持要素１２４および第１ハウジング部４０の順に行われる。上記のように、それからローラ保持要素１２４をハウジング内部４６に位置決めし、保持要素６６を取り付け、第２ハウジング部１３０によってハウジング内部４６を閉鎖し、隣接要素１４６を取り付ける。保持要素６６を位置決めした後、ピン８８と９２を位置決めし、固定する。
【０１４５】
クランプ１０の固定アーム２２は、固定可能なように変位できる。それは、スライドレール１２上に締め付けられる。つまり、クランプ１０の使用中、固定アーム２２の第１隣接面２６とハウジング構成３４の第２隣接面１４８の間に、１つ以上の工作物をクランプする場合、それはスライドレール１２に対して移動不可能なように締め付けられる。しかし、第１端部２０ａまたは第２端部２０ｂに対するスライドレール１２上のその位置は調整可能である。
【０１４６】
図４〜６に示した典型的な実施例では、固定アーム２２はハウジング１５４を有する。このハウジング１５４は、たとえば、プラスチック材料から作製され、単一部品または複数部品で構成される。ハウジング１５４は、少なくともほぼ立方形の構造を有する。第１開口部１５６は、ハウジング１５４内の第１ハウジング壁１５８上に配置される。第１開口部１５６に対して整列するように方向付けした開口部（図では見えない）は、第１ハウジング壁とは反対側に配置した第２ハウジング壁１６０上に設けられる。スライドレール１２は、これらの開口部を介して導かれる。
【０１４７】
両側の側壁１６２ａと１６２ｂは、第１ハウジング壁１５８と第２ハウジング壁１６０の間にある。
【０１４８】
保持要素１６６は、ハウジング１５４のハウジング内部１６４に配置される。保持要素１６６は、スライドレール１２に固定アーム２２を開放可能なように締め付ける機構を保持するために役立ち、特に金属材料から作製される。
【０１４９】
保持要素１６６は互いに整列するように方向付けした貫通孔１６８ａ、１６８ｂを有し、貫通孔１６８ａ、１６８ｂはハウジング内部１６４に位置決めする際、スライドレール１２用のハウジング１５４の開口部と整列させ、スライドレール１２は開口部１６８ａ、１６８ｂを介して保持要素１６６を通過させる。
【０１５０】
開口部１６８ａは保持要素１６６の壁１７０ａ上に形成し、開口部１６８ｂは保持要素１６６の壁１７０ｂ上に形成する。壁１７０ａと１７０ｂは、互いに間隙を介して配置される。壁１７０ａは第１ハウジング壁１５８ａと実質的に平行に方向付けされ、壁１７０ｂは第２ハウジング壁１６０と実質的に平行に方向付けされる。
【０１５１】
第１ブロック要素１７２（ブレーキ要素）は特にスロット１７４を備えた板状であり、スロット１７４を介してスライドレール１２を案内するが、第１ブロック要素１７２は壁１７０ａと壁１７０ｂの間の保持要素１６６上に設置される。第１ブロック要素１７２は旋回するように配置され、スライドレール１２に対するその傾斜位置を変更可能にする。
【０１５２】
旋回取り付けのために、ピン１７６は、壁１７０ｂの近傍で、そこから所定の距離の保持要素１６６上に配置される。保持要素１６６上の第１ブロック要素１７２の旋回機能用の仮想的旋回軸は、ピン１７６によって提供される。この仮想的旋回軸は、保持要素１６６とピン１７６の間の接触ライン上にある。第１ブロック要素１７２は、このピン１７６と壁１７０ｂの間に挿入される。
【０１５３】
ピン１７６は、開口部１６８ａに対して片側にある。反対側では、壁１７０ｂ上に別のバネ１８０を取り付け、ピン１７６の近傍にある端部から離れた端部上、またはその近傍の第１ブロック要素１７２に作用する。バネ１８０は、方向１８２にバネ力を備えた圧力バネであり、方向１８２はスライドレール１２の縦方向１３と実質的に平行である。バネ１８０は、固定位置であるスライドレール１２の傾斜位置に、第１ブロック要素１７２を押し付け、この固定位置では、固定アーム２２はスライドレール１２上の少なくとも１つの方向では変位不可能になり、その結果、これに締め付けられる。この固定位置では、第１ブロック要素１７２は、スライドレール１２の縦方向１３に対して所定の角度１８４にある。この角度は、たとえば、８０°程度である。
【０１５４】
第１ブロック要素１７２は、壁１７０ｂの方向でバネ１８０のバネ力に逆らって力を及ぼすことによって旋回できる。その結果、ブロック位置は開放できる。
【０１５５】
第２ブロック要素１８６は、保持要素１６６内で旋回するように別に配置される。このために、ピン１８８を設け、ピン１８８は壁１７０ａから間隙を介してこれに隣接する。この場合、ピン１８８はスライドレール１２からピン１７６と同じ距離にあり、壁１７０ａからは壁１７０ｂからピン１７６までと同じ距離にある。
【０１５６】
さらに、バネ１８０と同じ機能を備えたバネ１９２は、壁１７０ａに締め付けられる。バネ１９２も圧力バネであるが、バネ１９２のバネ力は方向１８２と逆方向の方向１９４に作用する。
【０１５７】
第２ブロック要素１８６は第１ブロック要素１７２に対して（ミラー面１８７で）ミラー対称に配置され、ミラー軸はスライドレール１２に対して直交する。第１ブロック要素１７２が角度１８４を備えた固定位置を有する場合、第２ブロック要素１８６はスライドレール１２の縦方向１３に対して所定の角度を備えた固定位置を有し、前記角度は角度１８４と反対の符号を有する。
【０１５８】
スライドレール１２上の固定アーム２２の動きは、第１方向では第１ブロック要素１７２によってブロックされる。そこへの逆方向の動きは、第２ブロック要素１８６によってブロックされる。図５に示した実施例では、第１ブロック要素１７２は方向１９４において、スライドレール１２上の固定アーム２２の動きをブロックする。第２ブロック要素１８６は方向１８２において、スライドレール１２上の固定アーム２２の動きをブロックする。第１ブロック要素１７２と第２ブロック要素１８６の固定位置では、これらはスライドレール１２と共にチルトされ、スライドレール１２に対する動きは対応する方向においてブロックされる。チルトは、スライドレール１２の上記の溝によって補助できる。
【０１５９】
第１ブロック要素１７２と第２ブロック要素１８６の旋回機能用の（仮想的）旋回軸は、ピン１７６と１８８によって保持要素１６６上に提供される。図の実施例では、ピン１８６と１８８はスライドレール１２に対して同じ側にあり、こうして旋回軸も同じ側になる。対応する旋回軸は異なる側にあることも基本的に可能である。それから、固定位置では第１ブロック要素と第２ブロック要素は好ましくは平行に方向付けされ、この構成は第１ブロック要素と第２ブロック要素が異なる旋回方向に旋回できるようにする。
【０１６０】
両側の壁１９６ａ、１９６ｂは、壁１７０ａと１７０ｂの間に延びている。これらの壁は凹部１９８ａ、１９８ｂを有し、ピン１９０と１７６は凹部１９８ａ、１９８ｂに締め付けられる。内部２００は壁１７０ａ、１７０ｂ、１９６ａおよび１９６ｂの間に形成され、対応するブロック機構と共に第１ブロック要素１７２と第２ブロック要素１８６を構成する。
【０１６１】
圧力要素２０２は、方向２０４において横方向に、特にスライドレール１２の縦方向１３に対して垂直に変位可能なように案内されるが、圧力要素２０２は保持要素１６６上に配置される。
【０１６２】
圧力要素２０４は操作端部２０６（押しボタン）を有し、操作端部２０６は固定アーム２２の上側にある。この上側は、スライドアームから最も離れた側であるか、または第１ハウジング部４０の上側１１８と少なくともほぼ同じ高さにある。
【０１６３】
圧力要素２０２は保持要素１６６の内部２００に配置され、保持要素１６６は壁１９６ａと１９６ｂ上の圧力要素２０２の変位案内（スライド案内）用の案内手段を提供する。
【０１６４】
圧力要素２０２は、枝部２０８ａ、２０８ｂを備えた第１枝部対と、枝部２１０ａ、２１０ｂを備えた第２枝部対を有する。枝部２０８ａ、２０８ｂは、第１ブロック要素１７２と第２ブロック要素１８６のミラー面に対して同じ側にある。枝部２０８ａと２０８ｂは互いに間隙を介して配置し、それらの間に間隙部２１２を有する。それらは、基本的に同じ運動機能を有する。
【０１６５】
第２枝部対の枝部２１０ａ、２１０ｂは、このミラー面の同じ側にある。それらは互いに間隙を介して配置し、それらの間に間隙部２１４を有する。それらは、同じ運動機能を有する。間隙部２１２と２１４はスライドレールを通過させるために役立ち、圧力要素２０２がスライドレールに接触しないようにする。
【０１６６】
枝部２０８ａ、２０８ｂと２１０ａ、２１０ｂは圧力要素２０２のベース本体２１６上に弾性的に配置され、外向きに湾曲可能で、それらの開始位置に戻ることができるようにする。特に、枝部２０８ａ、２０８ｂ、２１０ａ、２１０ｂはベース本体２１６上に単一部品で形成されるので、圧力要素２０２も単一部品になる。
【０１６７】
ウェブ要素２１８は、内部２００のピン１８８と１７６の間に配置される。バネ２２０は、このウェブ要素上に支持される。たとえば、特に圧力バネであるバネ２２０は円筒凸領域２２２上に配置されるが、円筒凸領域２２２はこの目的のためにウェブ要素２１８の上に配置される。
【０１６８】
凸領域２２２に反対側の端部では、バネ２２０は圧力要素２０２のベース本体２１６上に支持される。このために、後者は中央に円筒凸領域２２４を有し、バネ２２０は凸領域２２４上に配置される。この場合、凸領域２２４は、第１ブロック要素１７２と第２ブロック要素１８６に対するミラー面上にある。バネ２２４はこの場合、その「通常位置」にあるとき、圧力要素２０２上にバネ力を及ぼさないように設計され、ここではスライドレール１２上の固定アーム２２の動きはブロックされる。
【０１６９】
圧力要素２０２およびブロック要素１７２と１８６の相互作用は、図６に示されている。ピン２２８は第１枝部対と第２枝部対の間にあり、壁１９６ａと１９６ｂの開口部２２６内に位置決めされる。「通常状態」では、枝部２０８ａ、２０８ｂ、２１０ａ、２１０ｂは、ブロック要素１７２と１８６には作用しない。
【０１７０】
圧力要素２０２が方向２０４においてさらに内部２００に押し込まれ、バネ２２０のバネ力に逆らって押される場合、枝部２０８ａ、２０８ｂおよび２１０ａ、２１０ｂの内側はピン２８に沿って走る。この場合、内側の構成は次のようになる。つまり、それは傾斜を備えて構成されるので、圧力要素２０２、したがって枝部２０８ａ、２０８ｂ、２１０ａ、２１０ｂの方向２０４における変位の結果として、第１枝部対と第２枝部対の枝部は離れるように押される。これは、図６では参照番号２３０ａと２３０ｂを備えた矢印によって示されている。さらに、枝部２０８ａ、２０８ｂは第２ブロック要素１８６に作用し、枝部２１０ａ、２１０ｂは第１ブロック要素１７２に作用し、これらを逆方向に旋回させる。これも、矢印２３０ａと２３０ｂによって図６に示されている。こうして、第１ブロック要素１７２と第２ブロック要素１８６の傾斜位置は圧力要素２０２によって変更される。つまり、スライドレール１２の縦方向１３に対する角度は９０°の方向に増大され、ブロック構成は開放される。さらに、この結果として、固定アーム２２はスライドレール１２上を変位可能で、所望の位置に導かれる。
【０１７１】
圧力要素２０２が開放される、つまり、もはや力が及ぼされなくなると、バネ２２０は方向２０４とは逆方向に圧力要素２０２を押し、ブロック要素１７２と１８６の力の印加は第１枝部対と第２枝部対によって除去される。こうして、ブロック要素１７２と第２ブロック要素１８６はその傾斜した固定位置に移動し、スライドレール１２上の固定アーム２２の動きはそこでブロックされる。
【０１７２】
隣接要素２８はハウジング１５４上に配置され、特にその上でスライドされる。こうして、これは特に第１ハウジング壁１５８上をスライドされる。
【０１７３】
別の隣接要素２３２は同様にスライドレール１２用のスロット状の凹部２３４を備えているが、隣接要素２３２は対応するハウジング壁１６０上をスライドする。別の隣接面３２は、この隣接要素２３２上に形成される。
【０１７４】
ハウジング１５４は、カバー要素２３６によって下側で閉鎖される。こうして、内部２００はスライドレール１２用の開口部を除いて閉鎖される。
【０１７５】
本発明によるクランプの別の実施例は図７に部分図で示され、そこでは参照番号２３８を与えられているが、前記実施例ではハウジング構成は基本的にクランプ１０内と同様に構成される。したがって、同じ参照番号が用いられる。ハウジング構成３４はスライドレール２４０上を案内され、スライドレール２４０は基本的にスライドレール１２と同様に構成される。しかし、ピン２４２ａ、２４２ｂは、端部２０ｂの近傍でスライドレール２４０に締め付けられる。これらのピン２４２ａ、２４２ｂは、特に溝付きピンとして構成される。それらは、スライドレール２４０の縦方向１３に対して垂直に突出する。こうして、それらは２つの両側を超えて突出する。この場合、原理的に、貫通ピン２４２ａまたは２４２ｂは両側を突出し、それからスライドレール２４０は対応する開口部を備え、ピン２４２ａと２４２ｂはそこに締め付け、特に押し込むことができる。
【０１７６】
ピンを締め付け、片側に突出させることもできる。２つのピンが片側に配置される場合、全部で４つのピンが必要とされる。
【０１７７】
ピン２４２ａ、２４２ｂは固定アーム２４４を締め付けるために役立ち、それは図８の分解図に示されている。
【０１７８】
固定アーム２４４は、第１ハウジング部２４８と第２ハウジング部２５０を備えたハウジング２４６を有する。第１ハウジング部２４８は、周辺エッジ領域２５２を有する。このエッジ領域２５２内には第１舌部２５４と第２舌部２５６を配置し、これらは第１ハウジング部２４８のベース２５８を超えて垂直に突出している。
【０１７９】
ピン２４２ｂを受け取るための整列した開口部２６０ａ、２６０ｂと、ピン２４２ａを受け取るための開口部２６２ａ、２６２ｂは、第１舌部２５４と第２舌部２５６内に配置される。この場合、ピン２４２ａは開口部２６２ａを通過させることもでき、開口部２６２ａに整列させた開口部２６４は凸状のエッジ２５２内に配置される。
【０１８０】
ベース２５８上のエッジ領域２５２内で間隙を介した保持要素２６６は、第１ハウジング部２４８上に配置される。これらは、上向きに突出する。それらはスロット状の凹部２６８を有し、そこに複数の保持要素２６６が提供され、凹部２６８は互いに整列して方向付けられる。図の実施例では、保持要素２６６は４つの凹部２６８を有する。
【０１８１】
この場合、凹部２６８は、２つの各凹部が第１舌部２５４と関連付けられ、２つの凹部２６８が第２舌部２５６と関連付けられるように配置される。
【０１８２】
保持部２７０は、凹部２６８上に位置決めされる。特に、保持部２７０は金属シートである。さらに、保持部２７０は、ピン２４２ａ、２４２ｂを通過させる各開口部２７２ａと２７２ｂを有する。
【０１８３】
保持部２７０は、凹部２６８内に挿入される。この場合、各保持部２７０は第１舌部２５４の前方、および第１舌部２５４の後方にあり、第１舌部２５４は隣接する保持部２７０の間になる。さらに、各保持部２７０は第２舌部２５６の前方、および第２舌部２５６の後方にあり、第２舌部２５６は隣接する保持部２７０の間になる。保持部２７０内の開口部２７２ａ、開口部２６０ａ、２６０ｂならびに保持部２７０の開口部２７２ｂ、開口部２６２ａと２６２ｂならびに開口部２６４は、この場合は整列して方向付けする。
【０１８４】
第２ハウジング部２５０は第１ハウジング部２４８上に配置され、これはピン２４２ｂ，２４２ａを通過させる開口部２７４と２７６を有する。
【０１８５】
第１隣接面２８０は隣接要素２７８上に形成されるが、隣接要素２７８は第１ハウジング部２４８上に配置され、特にこの上でスライドさせる。別の隣接面は隣接要素２８２上に形成されるが、隣接要素２８２も第２ハウジング部２５０上でスライドさせる。
【０１８６】
第１ハウジング部２４８と第２ハウジング部２５０はプラスチック材料から作製され、それは十分な弾性を有し、スライドレール２４０に締め付けて組み立てることができる。
【０１８７】
組み立て中、２つの保持部２７０はそれらのピン２４２ａ、２４２ｂを備えたスライドレール２４０上に配置される。それから、第１ハウジング部２４８の第１舌部２５４と第２舌部２５６を所定の位置に設置する。それから、外側の保持部２７０を所定の位置に設置する。それから、保持部２７０を第１ハウジング部２４８の凹部２６８内に位置決めする。つまり、これらを挿入する。
【０１８８】
それから、第２ハウジング部２５０を所定の位置に設置し、設置が可能なように、開口部２７４、２７６を備えたその壁を変形させる。
【０１８９】
固定アーム２４４を最初に組み立て、それからスライドレール２４０上にそれを配置し、それから対応する開口部を介して、スライドレール２４０上にピン２４２ａ、２４２ｂを締め付けることも基本的に可能である。
【０１９０】
２つの保持部２７０は各舌部２５４、２５６と関連付けられているが、２つの保持部２７０を提供することによって、高い力の負荷能力が両方向（第１隣接面２８０と隣接要素２８２上の別の隣接面上の力の印加）にもたらされる。
【０１９１】
１つ以上のスライドレール隣接要素２８４は、スライドレール１２または２４０上に設置する。特に、スライドレール隣接要素２８４はプラスチック材料から作製され、単一部品で構成される。それは、第１枝部２８６ａと第２枝部２８６ｂを有する（図７）。これらの枝部２８６ａ、２８６ｂは隣接領域２８８によって接続され、隣接領域２８８は（第１）隣接面２９０を提供する。隣接面２９０は横方向に、特に第１隣接面２６または２８０および第２隣接面１４８に対して垂直に方向付けされる。隣接面２９０は、力印加装置５０を配置する側では、スライドレール１２または２４０より下にある。こうして、それは工作物と対向し、工作物は固定アーム２２または２４４とハウジング構成３４の間にクランプされる。
【０１９２】
反対側では、スライドレール隣接要素２８４は第２隣接面２９１を有し、第２隣接面２９１は枝部２８６ａと２８６ｂ上に構成される。クランプは、これらによって支持部上に配置できる。この場合、スライドレール隣接要素２８４は、この隣接面２９１がハウジング構成３４を超えて突出するように構成される。ハウジング構成は、隣接面２９１に対して後退させる。ハウジング構成３４と隣接面２９１の間隙部の一般的な寸法は、１ｍｍ以下である。クランプが固定アーム２２または２４４および隣接面２９１を備えたスライドレール隣接要素によって所定の位置に設置される場合、後退させた構成の結果として、ハウジング構成３４はスライドレール１２または２４０上で変位可能になる。
【０１９３】
ハウジング構成３４は好ましくは、スライドレール１２または２４０上、つまり力印加装置５０から離れた側に固定アーム２２または２４４より小さな最大高さを有する。高さの違いは、１ｍｍ以下程度である。これによって、上記のように、スライドレール隣接要素２８４を介して隣接面２９１上に配置する場合、ハウジング構成３４の変位可能性が実現される。
【０１９４】
スライドレール隣接要素２８４は、スライドレール１２または２４０上にクリップ留め可能なように構成される。第１枝部２８６ａと第２枝部２８６ｂは十分弾性的に構成し、隣接領域２８８上に配置され、互いに広げて、第１枝部２８６ａと第２枝部２８６ｂの間のスライドレール１２または２４０上に間隙部２９２を構成できる。つまり、スライドレール１２または２４０は、間隙部２９２内に挿入できる。
【０１９５】
押し下げられた形態の各凹部２９４はスライドレール１２または２４０の形態に適合させるが、凹部２９４は第１枝部２８６ａと第２枝部２８６ｂ上に構成される。スライドレール１２または２４０は、この凹部２９４内に受け取ることができる。スライドレール隣接要素２８４を所定の位置にクリップ留めするとき、凹部２９４によって（縦方向１３に対して横に）確実な固定構成が実現される。
【０１９６】
スライドレール１２または２４０の縦方向１３に対して、スライドレール隣接要素２８４は摩擦係合で保持され、それはスライドレール１２または２４０上で変位可能であり、所望の位置に位置決めできるが、この場合、変位（摩擦力を克服する）には力の支出が必要になる。
【０１９７】
隣接面２９０は、スライドレール１２、２４０より大きな幅を有する。たとえば、隣接面２９０は、第２隣接面１４８の幅、もしくは第１隣接面２６または２８０に対応する幅を有する。
【０１９８】
スライドレール隣接要素２８４は、固定アーム２２または２４４の下側を超えて突出しない。これによって、固定アーム２２または２４４の対応する下側を介して、ベンチなどの支持部上にクランプを配置可能になる。
【０１９９】
この場合、開口部２９６は、枝部２８６ａ、２８６ｂ内のスライドレール１２または２４０上にある領域（隣接面２９１とスライドレール１２または２４０の間の領域）に各々配置できる。特に、１つ以上のスライドレール隣接要素２８４は、ハウジング構成３４と固定アーム２２または２４４の間に配置される。たとば、ＢＥＳＳＥＹ  Ｔｏｏｌ  ＧｍｂＨ＆Ｃｏ．ＫＧのベンチブラケットＴＫ６などの対応するブラケットのピン要素（ボルト）は開口部２９６を通過できる。その結果、スライドレール隣接要素は支持部（特にベンチ）にクランプでき、クランプ自体は支持部にクランプできる。
【０２００】
クランプ１０または２３８は、１つ以上のスライドレール隣接要素２８４によって工作物上に配置できる。この場合、クランプは、１つ以上の隣接面２９０を備えたスライドレール隣接要素２８４の領域内の工作物上に配置される。その上、１つ以上の隣接面２９１または固定アーム２２または２４４の下側を備えた回転位置の支持部上にクランプを配置することもできる。
【０２０１】
さらに、工作物の表面は１つ以上のスライドレール隣接要素２８４によって、特に金属材料から作製されたスライドレール１２または２４０と接触しないように保護される。
【０２０２】
スライドレール隣接要素２８４は、スライドレール１２または２４０から取り外しできる。
【０２０３】
固定要素２９８は特に所定の位置にクリップ留めされ、プラスチック材料から作製されるが、固定要素２９８はスライドレール１２または２４０の端部２０ａ上に配置できる。固定要素２９８は、スライドレール１２または２４０からハウジング構成３４が外れないようにするために役立つ。固定要素２９８は隣接面２９９を有し、隣接面２９９はスライドレール隣接要素２８４の隣接面２９１に対して実質的に整列するように方向付けされ、クランプを支持部上に配置可能にする。
【０２０４】
本発明によるクランプ１０または２３８は、下記のように機能する。
【０２０５】
固定アーム２２または２４４は、スライドレール１２または２４０に締め付けられる。ハウジング構成３４と固定アーム２２または２４４の間の所定の位置に１つ以上の工作物をクランプするために、ハウジング構成３４はその第２隣接面１４８と共に対応する工作物上に押し付けられる。こうして力印加装置５０が開放され、スピンドル５６の回転によって圧力部品６２を介して力の印加が可能になる。それから、スピンドル５６はハンドル６０によって回転される。こうして、スライドアーム４８は、対応する工作物上へハウジング構成３４を介して圧力を及ぼすことで、スライドレール１２または２４０上でチルトされる。その結果、第１隣接面２６または２８０と第２隣接面１４８の間でクランプが実現される。
【０２０６】
本発明によるクランプ１０または２３８は、簡単で安価な方法で製造できる。ハウジング構成３４は、簡単で安価な方法で素早く組み立てることができる。クランプ１０または２３８の組み立ては、わずかな数の別個の部品から素早く行うことができる。
【図面の簡単な説明】
【０２０７】
【図１】本発明によるクランプの第１実施例の斜視図である。
【図２】図１によるクランプの側面図である。
【図３】図１によるクランプのハウジング構成の分解図である。
【図４】図１によるクランプの固定アームの分解図である。
【図５】図４による（分解図における）固定アーム上の平面図である。
【図６】図１による固定アームのライン６−６における断面図である。
【図７】本発明によるクランプの第２実施例の斜視図であり、ここでは固定アームは図示されていない。
【図８】図７によるクランプ用の固定アームの分解図である。
【図１】
2011031308.tif 000003
【図２】
2011031308.tif 000004
【図３】
2011031308.tif 000005
【図４】
2011031308.tif 000006
【図５】
2011031308.tif 000007
【図６】
2011031308.tif 000008
【図７】
2011031308.tif 000009
【図８】
2011031308.tif 000010